(57)【要約】      （修正有）【課題】ＬＥＤフィラメントを支持するステムが不要で、内部空間の利用効率を向上させ、製造コストが効果的に低減されるフィラメントランプを提供する。【解決手段】フィラメントランプ１は、透光性ランプハウジング１０と、口金２０と、光源アセンブリ３０と、駆動アセンブリ４０と、を含み、口金は透光性ランプハウジングの開口部に被せられ、光源アセンブリは透光性ランプハウジングの内部キャビティ内に収容され、駆動アセンブリは口金の内部キャビティ内に収容され、光源アセンブリと電気的に接続されており、光源アセンブリは、台座と硬質ライトストリップ３２及び／又は可撓性フィラメント３３とを含み、台座は透光性ランプハウジングの開口部に被せられ、硬質ライトストリップ及び／又は可撓性フィラメントは台座上に設けられている。台座で硬質ライトストリップ及び／又は可撓性フィラメントを支持することができる。【選択図】図１
0003232585.tif 000002
【実用新案登録請求の範囲】
【請求項１】
透光性ランプハウジングと、口金と、光源アセンブリと、駆動アセンブリと、を含み、前記口金は前記透光性ランプハウジングの開口部に被せられ、前記光源アセンブリは前記透光性ランプハウジングの内部キャビティ内に収容され、前記駆動アセンブリは前記口金の内部キャビティ内に収容され、そして前記光源アセンブリと電気的に接続されている、フィラメントランプであって、前記光源アセンブリは、
前記透光性ランプハウジングの開口部に被せられる台座と、
前記台座上に設けられる硬質ライトストリップ及び／又は可撓性フィラメントと、
を含むことを特徴とするフィラメントランプ。
【請求項２】
前記台座は、
一端が前記透光性ランプハウジングの開口部に被せられ、他端が前記透光性ランプハウジングの内部キャビティ内に延在するベースと、
それぞれ前記ベースに貫通配置され、前記ベースに貫通配置されている導体の一端は、前記口金の内部キャビティ内に延在して前記駆動アセンブリに接続され、前記ベースに貫通配置されている導体の他端は、前記透光性ランプハウジングの内部キャビティ内に延在して硬質ライトストリップの電極又は可撓性フィラメントの電極に接続されている、少なくとも２つの導体と、
を含むことを特徴とする請求項１に記載のフィラメントランプ。
【請求項３】
前記光源アセンブリは、２本の硬質ライトストリップと１本の可撓性フィラメントとを含み、前記台座は２つの導体を含み、２本の前記硬質ライトストリップの一方の電極は、２つの前記導体の前記透光性ランプハウジングの内部キャビティから露出された一端に接続され、前記可撓性フィラメントの２つの電極は、２本の前記硬質ライトストリップの他方の電極にそれぞれ接続されている、とを特徴とする請求項２に記載のフィラメントランプ。
【請求項４】
前記光源アセンブリは、１本の硬質ライトストリップと１本の可撓性フィラメントとを含み、前記台座は２つの導体を含み、前記硬質ライトストリップの一方の電極は、そのうち１つの前記導体の前記透光性ランプハウジングの内部キャビティから露出された一端に接続され、前記可撓性フィラメントの一方の電極は、他方の前記導体の前記透光性ランプハウジングの内部キャビティから露出された一端に接続され、前記可撓性フィラメントの他方の電極は、前記硬質ライトストリップの他方の電極に接続されていることを特徴とする請求項２に記載のフィラメントランプ。
【請求項５】
前記台座は３つの導体を含み、前記光源アセンブリは２本の硬質ライトストリップを含み、２本の前記硬質ライトストリップの一方の電極は、そのうち２つの前記導体の前記透光性ランプハウジングの内部キャビティから露出された一端にそれぞれ接続され、２本の前記硬質ライトストリップの他方の電極は、他方の前記導体の対向する両端にそれぞれ接続されており、
あるいは、前記光源アセンブリは２本の可撓性フィラメントを含み、２本の前記可撓性フィラメントの一方の電極は、そのうち２つの前記導体の前記透光性ランプハウジングの内部キャビティから露出された一端にそれぞれ接続され、２本の前記可撓性フィラメントの他方の電極は、他方の前記導体の対向する両端にそれぞれ接続されていることを特徴とする請求項２に記載のフィラメントランプ。
【請求項６】
前記台座は２つの導体を含み、前記光源アセンブリは１本の硬質ライトストリップを含み、前記硬質ライトストリップの２つの電極は、２つの前記導体の前記透光性ランプハウジングの内部キャビティから露出された一端にそれぞれ接続されており、
あるいは、前記光源アセンブリは１本の可撓性フィラメントを含み、前記可撓性フィラメントの２つの電極は、２つの前記導体の前記透光性ランプハウジングの内部キャビティから露出された一端にそれぞれ接続されていることを特徴とする請求項２に記載のフィラメントランプ。
【請求項７】
前記硬質フィラメントの色温度と前記可撓性フィラメントの色温度とが異なっていることを特徴とする請求項３又は４に記載のフィラメントランプ。
【請求項８】
前記ベースの内部には排気通路が形成され、前記ベースには前記排気通路に連通されている第１排気孔が開設されることを特徴とする請求項２〜６のいずれか一項に記載のフィラメントランプ。
【請求項９】
前記口金の内部キャビティ内に収容され、前記駆動アセンブリと前記口金とを隔てるように前記駆動アセンブリを包むインナーライナーをさらに含むことを特徴とする請求項１〜６のいずれか一項に記載のフィラメントランプ。
【請求項１０】
一端が前記口金の内部キャビティ内に延在して前記駆動アセンブリに接続され、他端が前記口金の外部に露出している画びょうをさらに含むことを特徴とする請求項１〜６のいずれか一項に記載のフィラメントランプ。
【考案の詳細な説明】
【技術分野】
【０００１】
本考案は照明器具の技術分野に属し、より具体的には、フィラメントランプに関する。
【背景技術】
【０００２】
人々の省エネ・環境保護意識の高まりに伴い、各国はエネルギー消費量の高い白熱電球製品を淘汰リストに入れ、代わりにエネルギー消費量が低く、ますます広く利用されているＬＥＤフィラメントランプ製品となっている。現在、市販されているＬＥＤフィラメントランプは一般的にステムを介してＬＥＤフィラメントを支持する必要があるが、ステムは一定のランプ内の空間を占める必要があり、ＬＥＤフィラメントの形状設計及び空間配置に対して一定の要求があり、ＬＥＤフィラメントとＬＥＤフィラメントとの間の組み合わせを制限している。
【考案の概要】
【考案が解決しようとする課題】
【０００３】
本考案は、ＬＥＤフィラメントランプがステムを介してＬＥＤフィラメントを支持する必要があるという技術的課題を解決したフィラメントランプを提供することを目的とする。ただし、本考案が解決しようとする課題は、それに限定されるものではない。
【０００４】
上記の技術的問題を解決するために、本考案の実施例は、透光性ランプハウジングと、口金と、光源アセンブリと、駆動アセンブリと、を含み、前記口金は前記透光性ランプハウジングの開口部に被せられ、前記光源アセンブリは前記透光性ランプハウジングの内部キャビティ内に収容され、前記駆動アセンブリは前記口金の内部キャビティ内に収容され、そして前記光源アセンブリと電気的に接続されている、フィラメントランプであって、前記光源アセンブリは、
前記透光性ランプハウジングの開口部に被せられる台座と、
前記台座上に設けられる硬質ライトストリップ及び／又は可撓性フィラメントと、を含むフィラメントランプを提供する。
【０００５】
さらに、前記台座は、一端が前記透光性ランプハウジングの開口部に被せられ、他端が前記透光性ランプハウジングの内部キャビティ内に延在するベースと、
それぞれ前記ベースに貫通配置され、前記ベースに貫通配置されている導体の一端は、前記口金の内部キャビティ内に延在して前記駆動アセンブリに接続され、前記ベースに貫通配置されている導体の他端は、前記透光性ランプハウジングの内部キャビティ内に延在して硬質ライトストリップの電極又は可撓性フィラメントの電極に接続されている、少なくとも２つの導体と、を含む。
【０００６】
また、前記光源アセンブリは、２本の硬質ライトストリップと１本の可撓性フィラメントとを含み、前記台座は２つの導体を含み、２本の前記硬質ライトストリップの一方の電極は、２つの前記導体の前記透光性ランプハウジングの内部キャビティから露出された一端に接続され、前記可撓性フィラメントの２つの電極は、２本の前記硬質ライトストリップの他方の電極にそれぞれ接続されている。
【０００７】
また、前記光源アセンブリは、１本の硬質ライトストリップと１本の可撓性フィラメントとを含み、前記台座は２つの導体を含み、前記硬質ライトストリップの一方の電極は、そのうち１つの前記導体の前記透光性ランプハウジングの内部キャビティから露出された一端に接続され、前記可撓性フィラメントの一方の電極は、他方の前記導体の前記透光性ランプハウジングの内部キャビティから露出された一端に接続され、前記可撓性フィラメントの他方の電極は、前記硬質ライトストリップの他方の電極に接続されている。
【０００８】
また、前記台座は３つの導体を含み、前記光源アセンブリは２本の硬質ライトストリップを含み、２本の前記硬質ライトストリップの一方の電極は、そのうち２つの前記導体の前記透光性ランプハウジングの内部キャビティから露出された一端にそれぞれ接続され、２本の前記硬質ライトストリップの他方の電極は、他方の前記導体の対向する両端にそれぞれ接続されており、
あるいは、前記光源アセンブリは２本の可撓性フィラメントを含み、２本の前記可撓性フィラメントの一方の電極は、そのうち２つの前記導体の前記透光性ランプハウジングの内部キャビティから露出された一端にそれぞれ接続され、２本の前記可撓性フィラメントの他方の電極は、他方の前記導体の対向する両端にそれぞれ接続されている。
【０００９】
また、前記台座は２つの導体を含み、前記光源アセンブリは１本の硬質ライトストリップを含み、前記硬質ライトストリップの２つの電極は、２つの前記導体の前記透光性ランプハウジングの内部キャビティから露出された一端にそれぞれ接続されており、
あるいは、前記光源アセンブリは１本の可撓性フィラメントを含み、前記可撓性フィラメントの２つの電極は、２つの前記導体の前記透光性ランプハウジングの内部キャビティから露出された一端にそれぞれ接続されている。
【００１０】
また、前記硬質フィラメントの色温度と前記可撓性フィラメントの色温度とが異なっている。
【００１１】
さらに、前記ベースの内部には排気通路が形成され、前記ベースには前記排気通路に連通されている第１排気孔が開設される。
【００１２】
さらに、前記フィラメントランプは、前記口金の内部キャビティ内に収容され、前記駆動アセンブリと前記口金とを隔てるように前記駆動アセンブリを包むインナーライナーをさらに含む。
【００１３】
さらに、前記フィラメントランプは、一端が前記口金の内部キャビティ内に延在して前記駆動アセンブリに接続され、他端が前記口金の外部に露出している画びょうをさらに含む。
【考案の効果】
【００１４】
本考案で提供されるフィラメントランプの有益な効果は次のようになる。ステム（ニッケル又はガラスのステム）を介する必要がなく、台座で硬質ライトストリップ及び／又は可撓性フィラメントを支持することができ、これにより、ＬＥＤフィラメントランプがステムを介してＬＥＤフィラメントを支持する必要があるという技術的問題を効果的に解決し、ステムによる空間的制約が解除され、硬質ライトストリップ及び／又は可撓性フィラメントの使用方式がより柔軟で変化可能になり、透光性ランプハウジングの内部空間の利用効率を向上させ、ステムが不要になったことで、フィラメントランプの製造コストが効果的に低減される。
【００１５】
本考案の実施例に係る技術的解決手段をより明らかにするために、以下、実施例又は従来技術の説明に使用する必要がある図面を簡単に説明するが、明らかなことに、以下の説明における図面は、本考案のいくつかの実施例に過ぎない。当業者であれば、創造的な工夫をせずに、これらの図面により他の図面を取得することができる。
【図面の簡単な説明】
【００１６】
【図１】本考案の実施例で提供されるフィラメントランプの縦断面概略図である。
【図２】本考案の実施例で提供されるフィラメントランプの斜視分解概略図である。
【図３】本考案の実施例１で提供されるフィラメントランプにおける光源アセンブリの斜視概略図である。
【考案を実施するための形態】
【００１７】
本考案が解決しようとする技術的問題、技術的解決手段及び有益な効果をより分かりやすくするために、以下に添付図面及び実施例を参照しながら、本考案について詳しく説明する。ここで説明される具体的な実施例は本考案を解釈するためのものに過ぎず、本考案を限定するためのものではないことを理解すべきである。
【００１８】
なお、ある部品が他の部品に「固定される」又は「設置される」とは、それが直接的に他の部品に位置するか又は間接的に該他の部品に位置してもよい。ある部品が他の部品に「接続される」とは、それが他の部品に直接的に又は間接的に接続されてもよい。ある部品が他の部品に「電気的に接続される」とは、それが導体による電気的接続であってもよいし、又はワイヤレスで電気的に接続されてもよく、又は電気信号を伝送可能なその他の様々な接続形態であってもよい。専門用語において、「上」、「下」、「左」、「右」等が標示した方位又は位置関係は、図面に示された方位又は位置関係に基づくものであり、本考案を説明しやすいためのものに過ぎず、示された装置又は部品が特定の方位を有しそして特定の方位で構築又は操作する必要があることを指す又は暗示するためのものではないため、本考案に対する制限であると理解すべきではなく、当業者にとって、具体的な状況に応じて上記専門用語の具体的な意味を理解することができる。また、「第１」、「第２」という用語は説明の目的だけに用いられ、比較的重要性を指示又は暗示するか、あるいは示された技術的特徴の数を黙示的に指示するためのものであると理解すべきではない。別途明確かつ具体的な限定がない限り、「複数」とは、二つ又は二つ以上である。
【００１９】
実施例１
図１〜３に示すように、本考案のフィラメントランプ１は、透光性ランプハウジング１０と、口金２０と、光源アセンブリ３０と、駆動アセンブリ４０とを含み、このうち、口金２０は透光性ランプハウジング１０の開口部に被せられ、すなわち、口金２０は透光性ランプハウジング１０の開口端に嵌設され、光源アセンブリ３０は透光性ランプハウジング１０の内部キャビティ内に収容され、駆動アセンブリ５０は口金２０の内部キャビティ内に収容され、そして、駆動アセンブリ５０は光源アセンブリ３０と電気的に接続され、具体的には、光源アセンブリ３０は台座３１と、２本の硬質ライトストリップ３２と、１本の可撓性フィラメント３３とを含み、このうち、台座３１は透光性ランプハウジング１０の開口部に被せられ、２本の硬質ライトストリップ３２及び１本の可撓性フィラメント３３は、それぞれ台座３１に取り付けられている。これで、本考案で提供されるフィラメントランプ１は、ステム（ニッケル又はガラスのステム）を介する必要がなく、台座３１で硬質ライトストリップ３２及び可撓性フィラメント３３を支持することができ、これにより、ＬＥＤフィラメントランプがステムを介してＬＥＤフィラメントを支持する必要があるという技術的問題を効果的に解決し、ステムによる空間的制約が解除され、硬質ライトストリップ３２及び可撓性フィラメント３３の使用方式がより柔軟で変化可能になり、透光性ランプハウジング１０の内部空間の利用効率を向上させると共に、ステムが不要になったことで、フィラメントランプ１の製造コストが効果的に低減される。
【００２０】
さらに、図１と図２に示すように、本実施例において、台座３１は、ベース３１１と２つの導体３１２とを含み、このうち、ベース３１１の一端が透光性ランプハウジング１０の開口部に被せられ、すなわち、ベース３１１の一端が透光性ランプハウジング１０の開口部の内側に被せられ、ベース３１１の他端が透光性ランプハウジング１０の内部キャビティ内に延在する。２つの導体３１２はそれぞれベース３１１に貫通配置され、２つの導体３１２の一端が口金２０の内部キャビティ内に延在して駆動アセンブリ４０に接続され、２つの導体３１２の他端が透光性ランプハウジング１０の内部キャビティ内に延在して２本の硬質ライトストリップ３２の一方の電極に接続され、可撓性フィラメント３３の２つの電極が２本の硬質ライトストリップ３２の他方の電極にそれぞれ接続されている。具体的には、導体３１２は一定の剛性を有しており、すなわち、ステムが廃止されても、導体３１２が硬質ライトストリップ３２を支持する役割を果たすことができ、そして硬質ライトストリップ３２も同様に一定の剛性を有し、可撓性フィラメント３３を支持する役割を果たすため、硬質ライトストリップ３２は支持体としても発光体としても機能し、同じ透光性ランプハウジング１０の内部空間の場合に、フィラメントランプ１の光束が向上する。
【００２１】
さらに、図１と図３に示すように、本実施例において、ベース３１１の内部に排気通路３１１１が形成され、そしてベース３１１には排気通路３１１１に連通されている第１排気孔３１１２が開設される。具体的には、ベース３１１に排気通路３１１１が貫通されるとともに、ベース３１１の透光性ランプハウジング１０の開口部を被せる一端には第２排気孔が開設され、第１排気孔３１１２及び第２排気孔は、それぞれ排気通路３１１１の対向する両端に連通している。このように、真空引き工程を行う際に、外部の真空引き機器は、第１排気孔３１１２と、排気通路３１１１と、第２排気孔とを介して光透過ランプハウジング１０の内部キャビティ内の空気を排気することができる。不活性ガスの注入を行う際に、外部のエアポンプは、第１の排気孔３１１２と、排気通路３１１１と、第２の排気孔とを介して不活性ガスを透光性ランプハウジング１０の内部キャビティ内に注入することができ、これにより、硬質ライトストリップ３２及び／又は可撓性フィラメント３３の放熱効率を向上させることができる。不活性ガスの注入が完了した後、第２排気孔を塞ぐだけで、ベース３１１が透光性ランプハウジング１０の内部キャビティを密閉空間に取り囲み、不活性ガスの漏れを防止することができる。
【００２２】
さらに、図１と図２に示すように、本実施例において、フィラメントランプ１はインナーライナー５０をさらに含み、インナーライナー５０は口金２０の内部キャビティ内に収容され、駆動アセンブリ４０と口金２０とを隔てるように駆動アセンブリ４０を包む。具体的には、インナーライナー５０は、絶縁性及び熱伝導性を有する材料で作られ、駆動アセンブリ４０と口金２０との間に充填されることにより、駆動アセンブリ４０と口金２０との直接の導通を防止することができるとともに、駆動アセンブリ４０の放熱効率を高めるのに有利である。
【００２３】
さらに、図１と図２に示すように、本考案で提供されるフィラメントランプの１つの具体的な実施例として、フィラメントランプ１は画びょう６０をさらに含み、画びょう６０の一端が口金２０の内部キャビティ内に延在して駆動アセンブリ４０に接続され、画びょう６０の他端が口金２０の外部に露出している。具体的には、口金２０の末端部には取付孔が開設され、画びょう６０は導電性材料で作られており、その外輪郭はキノコのようになっており、画びょう６０の細い端部は、この取付孔を通って口金２０の内部キャビティ内に延在して駆動アセンブリ４０に接続され、画びょう６０の太い端部が口金２０の末端部に突出されることにより、画びょう６０が導電性電極として駆動アセンブリ４０と外部電源とを接続することができ、これにより、駆動アセンブリ４０と口金２０とを接続するためのリード線が不要となり、フィラメントランプ１の自動組立の実現に有利であり、フィラメントランプ１の組立効率が向上する。
【００２４】
実施例２
本実施例で提供されるフィラメントランプは実施例１とほぼ同じであり、その違いが次のようになる。光源アセンブリ３０は、１本の硬質ライトストリップ３２と１本の可撓性フィラメント３３とを含み、硬質ライトストリップ３２の一方の電極は、そのうち１つの導体３１２の透光性ランプハウジング１０の内部キャビティから露出された一端に接続され、可撓性フィラメント３３の一方の電極は、他方の導体３１２の透光性ランプハウジング１０の内部キャビティから露出された一端に接続され、可撓性フィラメント３３の他方の電極は、硬質ライトストリップ３２の他方の電極に接続されている。これにより、より多くの硬質ライトストリップ３２と可撓性フィラメント３３との併用方式を顧客に提供することができる。
【００２５】
実施例３
図１と図２に示すように、本実施例で提供されるフィラメントランプは実施例１又は２とほぼ同じであり、その違いが次のようになる。硬質ライトストリップ３２の色温度と可撓性フィラメント３３の色温度とが異なっており、すなわち、硬質ライトストリップ３２が発する光の色温度と可撓性フィラメント３３が発する光の色温度とが異なっている。このように両者を併用することにより、顧客のニーズに合わせてフィラメントランプ１の色温度を調整するのに有利である。
【００２６】
実施例４
本実施例で提供されるフィラメントランプは実施例１とほぼ同じであり、その違いが次のようになる。台座３１は３つの導体３１２を含み、そのうち２つの導体３１２がベース３１１に貫通配置され、光源アセンブリ３０は２本の硬質ライトストリップ３２を含み、２本の硬質ライトストリップ３２の一方の電極は、ベース３１１に貫通配置された２つの導体３１２の透光性ランプハウジング１０の内部キャビティから露出された一端にそれぞれ接続され、２本の硬質ライトストリップ３２の他方の電極は、他方の導体３１２の対向する両端にそれぞれ接続されており、これにより、より多くの硬質ライトストリップ３２の使用方式を顧客に提供することができる。もちろん、具体的な状況やニーズに応じて、本考案の他の実施例では、台座３１は４つの導体３１２を含むことができ、そのうち３つの導体３１２がベース３１１に貫通配置され、光源アセンブリ３０は３本の硬質ライトストリップ３２を含むことができ、３本の硬質ライトストリップ３２の一方の電極は、ベース３１１に貫通配置された３つの導体３１２の透光性ランプハウジング１０の内部キャビティから露出された一端にそれぞれ接続され、３本の硬質ライトストリップ３２の他方の電極は、他方の導体３１２にそれぞれ接続されており、ここでは、導体３１２及び硬質ライトストリップ３２の設置数を唯一に限定しない。
【００２７】
実施例５
本実施例で提供されるフィラメントランプは実施例４とほぼ同じであり、その違いが次のようになる。光源アセンブリ３０は２本の可撓性フィラメント３３を含み、２本の可撓性フィラメント３３の一方の電極は、ベース３１１に貫通配置された２つの導体３１２の透光性ランプハウジング１０の内部キャビティから露出された一端にそれぞれ接続され、２本の可撓性フィラメント３３の他方の電極は、他方の導体３１２の対向する両端にそれぞれ接続されており、これにより、より多くの可撓性フィラメント３３の使用方式を顧客に提供することができる。
【００２８】
実施例６
本実施例で提供されるフィラメントランプは実施例１とほぼ同じであり、その違いが次のようになる。光源アセンブリ３０は１本の硬質ライトストリップ３２を含み、硬質ライトストリップ３２の２つの電極は、２つの導体３１２の透光性ランプハウジング１０の内部キャビティから露出された一端にそれぞれ接続されており、これにより、より多くの硬質ライトストリップ３２の使用方式を顧客に提供することができる。
【００２９】
実施例７
本実施例で提供されるフィラメントランプは実施例６とほぼ同じであり、その違いが次のようになる。光源アセンブリ３０は１本の可撓性フィラメント３３を含み、可撓性フィラメント３３の２つの電極は、２つの導体３１２の透光性ランプハウジング１０の内部キャビティから露出された一端にそれぞれ接続されており、これにより、より多くの可撓性フィラメント３３の使用方式を顧客に提供することができる。
【００３０】
上記は本考案の好適な実施例に過ぎず、本考案を限定するためのものではない。当業者であれば、本考案に様々な変更及び変化を加えることができる。本考案の精神及び原則の範疇においてなされたあらゆる修正、同等物による置換及び改良などは、本考案の保護範囲に含まれるはずである。
【符号の説明】
【００３１】
１  フィラメントランプ
１０  透光性ランプハウジング
２０  口金
３０  光源アセンブリ
４０  駆動アセンブリ
５０  インナーライナー
６０  画びょう
３１  台座
３２  硬質ライトストリップ
３３  可撓性フィラメント
３１１  ベース
３１２  導体
３１１１  排気通路
３１１２  第１排気孔
【図１】
0003232585.tif 000003
【図２】
0003232585.tif 000004
【図３】
0003232585.tif 000005
【手続補正書】
【提出日】令和3年4月19日(2021.4.19)
【手続補正１】
【補正対象書類名】実用新案登録請求の範囲
【補正対象項目名】全文
【補正方法】変更
【補正の内容】
【実用新案登録請求の範囲】
【請求項１】
透光性ランプハウジングと、口金と、光源アセンブリと、駆動アセンブリと、を含み、前記口金は前記透光性ランプハウジングの開口部に被せられ、前記光源アセンブリは前記透光性ランプハウジングの内部キャビティ内に収容され、前記駆動アセンブリは前記口金の内部キャビティ内に収容され、そして前記光源アセンブリと電気的に接続されている、フィラメントランプであって、前記光源アセンブリは、
前記透光性ランプハウジングの開口部に被せられる台座と、
前記台座上に設けられる硬質ライトストリップ及び／又は可撓性フィラメントと、
を含むことを特徴とするフィラメントランプ。
【請求項２】
前記台座は、
一端が前記透光性ランプハウジングの開口部に被せられ、他端が前記透光性ランプハウジングの内部キャビティ内に延在するベースと、
それぞれ前記ベースに貫通配置され、前記ベースに貫通配置されている導体の一端は、前記口金の内部キャビティ内に延在して前記駆動アセンブリに接続され、前記ベースに貫通配置されている導体の他端は、前記透光性ランプハウジングの内部キャビティ内に延在して硬質ライトストリップの電極又は可撓性フィラメントの電極に接続されている、少なくとも２つの導体と、
を含むことを特徴とする請求項１に記載のフィラメントランプ。
【請求項３】
前記光源アセンブリは、２本の硬質ライトストリップと１本の可撓性フィラメントとを含み、前記台座は２つの導体を含み、２本の前記硬質ライトストリップの一方の電極は、２つの前記導体の前記透光性ランプハウジングの内部キャビティから露出された一端に接続され、前記可撓性フィラメントの２つの電極は、２本の前記硬質ライトストリップの他方の電極にそれぞれ接続されている、とを特徴とする請求項２に記載のフィラメントランプ。
【請求項４】
前記光源アセンブリは、１本の硬質ライトストリップと１本の可撓性フィラメントとを含み、前記台座は２つの導体を含み、前記硬質ライトストリップの一方の電極は、そのうち１つの前記導体の前記透光性ランプハウジングの内部キャビティから露出された一端に接続され、前記可撓性フィラメントの一方の電極は、他方の前記導体の前記透光性ランプハウジングの内部キャビティから露出された一端に接続され、前記可撓性フィラメントの他方の電極は、前記硬質ライトストリップの他方の電極に接続されていることを特徴とする請求項２に記載のフィラメントランプ。
【請求項５】
前記台座は３つの導体を含み、前記光源アセンブリは２本の硬質ライトストリップを含み、２本の前記硬質ライトストリップの一方の電極は、そのうち２つの前記導体の前記透光性ランプハウジングの内部キャビティから露出された一端にそれぞれ接続され、２本の前記硬質ライトストリップの他方の電極は、他方の前記導体の対向する両端にそれぞれ接続されており、
あるいは、前記光源アセンブリは２本の可撓性フィラメントを含み、２本の前記可撓性フィラメントの一方の電極は、そのうち２つの前記導体の前記透光性ランプハウジングの内部キャビティから露出された一端にそれぞれ接続され、２本の前記可撓性フィラメントの他方の電極は、他方の前記導体の対向する両端にそれぞれ接続されていることを特徴とする請求項２に記載のフィラメントランプ。
【請求項６】
前記台座は２つの導体を含み、前記光源アセンブリは１本の硬質ライトストリップを含み、前記硬質ライトストリップの２つの電極は、２つの前記導体の前記透光性ランプハウジングの内部キャビティから露出された一端にそれぞれ接続されており、
あるいは、前記光源アセンブリは１本の可撓性フィラメントを含み、前記可撓性フィラメントの２つの電極は、２つの前記導体の前記透光性ランプハウジングの内部キャビティから露出された一端にそれぞれ接続されていることを特徴とする請求項２に記載のフィラメントランプ。
【請求項７】
前記硬質ライトストリップの色温度と前記可撓性フィラメントの色温度とが異なっていることを特徴とする請求項３又は４に記載のフィラメントランプ。
【請求項８】
前記ベースの内部には排気通路が形成され、前記ベースには前記排気通路に連通されている第１排気孔が開設されることを特徴とする請求項２〜６のいずれか一項に記載のフィラメントランプ。
【請求項９】
前記口金の内部キャビティ内に収容され、前記駆動アセンブリと前記口金とを隔てるように前記駆動アセンブリを包むインナーライナーをさらに含むことを特徴とする請求項１〜６のいずれか一項に記載のフィラメントランプ。
【請求項１０】
一端が前記口金の内部キャビティ内に延在して前記駆動アセンブリに接続され、他端が前記口金の外部に露出している画びょうをさらに含むことを特徴とする請求項１〜６のいずれか一項に記載のフィラメントランプ。
【手続補正２】
【補正対象書類名】明細書
【補正対象項目名】００１０
【補正方法】変更
【補正の内容】
【００１０】
また、前記硬質ライトストリップの色温度と前記可撓性フィラメントの色温度とが異なっている。